(57)【要約】【課題】非常時に水槽内の水を少量ずつ取水する場合においても、底部に溜まった水を除いて取水でき、かつ、通常の水槽内の清掃も可能な有効容量水位調整管付水槽を提供する。【解決手段】底部１８にある排水穴１１に接続された排水管１２と、排水管１２に接続された変換管１と、排水弁１３と、小さな口径を有し変換管１に接続可能な給水用配管２と調整弁３とを有し、変換管１に給水用配管２を取り付けまたは取り外しすることで、排水穴１１から放出される水を給水用配管２を経由しないで排水口１５に放出する手段と、給水用配管２を経由して取水する手段とを選択可能とし、さらに、排水管１２に接続および取り外しが可能であって、その上端が排水穴１２より３０〜６０ｃｍ程度上方に位置するように構成された円筒状の水位調整管２１を設置している。【選択図】  図１
0003202968.tif 000002
【実用新案登録請求の範囲】
【請求項１】
底部にある排水穴に一端が接続された排水管と、該排水管の他端に一端が接続された変換管と、前記排水管または前記変換管の少なくとも一方に設けられた少なくとも１つの排水弁と、前記排水管より小さな口径を有し前記変換管に接続可能な給水用配管と、該給水用配管に設けられた流水量を調整する調整弁とを有し、
前記排水穴から放出される水を前記給水用配管を経由しないで放出する手段と、前記排水穴から放出される水を前記給水用配管を経由して放出する手段とを選択可能とした水槽において、
前記排水穴または前記排水管にその下端の接続および取り外しが可能であって、前記排水穴または前記排水管に前記下端を取り付けたときにその上端が前記排水穴より１０〜１００ｃｍの間の所定の距離だけ上方に位置するように構成された筒状の水位調整管を設置したことを特徴とする有効容量水位調整管付水槽。
【請求項２】
前記水位調整管は円筒状であることを特徴とする請求項１に記載の有効容量水位調整管付水槽。
【請求項３】
上部が前記水位調整管の下端に結合し下部が前記排水管に結合する構造を有する接続体を有し、前記水位調整管の下端と前記排水管とが該接続体を介して接続されることを特徴とする請求項２に記載の有効容量水位調整管付水槽。
【請求項４】
前記接続体の上部および下部は円筒状であり、前記水位調整管の下端部分と前記接続体の上部の外周面または内周面にねじ形状を有することにより前記水位調整管の下端部分と前記接続体の上部とがねじ固定により結合され、前記接続体の下部の外径は前記排水管の内径より小さく、前記接続体の下部を前記排水管に挿入し、該接続体の筒板に垂直な方向にボルトを貫通して前記排水管の内壁に前記ボルトの先端を押し付けて固定することにより前記接続体の下部と前記排水管とを結合したことを特徴とする請求項３に記載の有効容量水位調整管付水槽。
【請求項５】
前記水位調整管は前記上端からの距離が異なる複数の調整穴と該複数の調整穴をそれぞれ塞ぐ手段とを有することを特徴とする請求項１乃至４のいずれかに記載の有効容量水位調整管付水槽。
【請求項６】
前記複数の調整穴は内周にねじ形状を設けた円形の穴であり、該穴の径に勘合するボルトを挿入することにより前記複数の調整穴を塞ぐことを特徴とする請求項５に記載の有効容量水位調整管付水槽。
【請求項７】
前記水位調整管の上端の前記排水穴よりの所定の距離は３０〜６０ｃｍであることを特徴とする請求項１乃至６のいずれかに記載の有効容量水位調整管付水槽。
【考案の詳細な説明】
【技術分野】
【０００１】
本考案は、受水槽や高架水槽などの水槽に関し、特に非常時に給水用として使用可能な配管を備えた有効容量水位調整管付水槽に関する。
【背景技術】
【０００２】
図５は従来の一般的な受水槽の基本的な構成を模式的に示す構成図である。従来、受水槽や高架水槽においては、各世帯などの必要な個所への給水は受水槽３０内の水を給水管１７に接続されたポンプなどにより送出することにより行われる。一方、設備の点検時や槽内を清掃するときに槽内の水をすべて抜くための排水穴１１が受水槽３０の底部１８に設けられ、その排水穴１１に接続された排水管１２により排水の受け口である排水口１５まで導かれている。通常、排水管１２の出口に排水弁１３が設置されている。従来の受水槽の例が特許文献１に記載されている。
【０００３】
従来の一般的な受水槽や高架水槽においては、短時間での排水が可能なように、排水管は５０ｍｍ〜１００ｍｍ程度の大きな口径を有している。一方、災害などの発生により停電となった場合、非常用の電源などを備えていても、停電期間が長期化すれば通常の給水設備は稼動できなくなる。このような非常時には、受水槽や高架水槽に貯まっている水を有効に利用することが必要となる。
【０００４】
受水槽や高架水槽に貯まっている水を取り出す方法としては、上記の排水管を利用する方法が考えられるが、上記のように排水管の口径は大きく、さらに排水管に設けられている排水弁では少量の水量の調整を行うことができない。
【０００５】
この目的で改良された災害時などの非常時に槽内の水を少量ずつ取水できる非常時給水用配管付水槽が特許文献２に記載されている。図６は上記の非常時給水用配管付水槽の基本的な構成図である。図６において、非常時給水用配管付水槽２０は、底部にある排水穴１１に一端が接続された排水管１２と、排水管１２の他端に一端が接続された変換管１と、排水管１２に設けられた１つの排水弁１３と、排水管１２より小さな口径を有し変換管１に接続可能な給水用配管２と、給水用配管２に設けられた流水量を調整する調整弁３とを有し、変換管１に給水用配管２を取り付けまたは取り外しすることで、排水穴１１から放出される水を給水用配管２を経由しないで排水口１５に放出する手段と、排水穴１１から放出される水を給水用配管２を経由して取水する手段とを選択可能としている。
【先行技術文献】
【特許文献】
【０００６】
【特許文献１】特開平１１−１８１８４８号公報
【特許文献２】実用新案登録第３１７５６８１号公報
【考案の概要】
【考案が解決しようとする課題】
【０００７】
上記の特許文献２に記載の非常時給水用配管付水槽において、非常時に受水槽内の水を取水する場合、水槽内の清掃を行ってから時間が経過していると水槽内の底部には汚れが溜まっている場合がある。通常動作時の給水は有効容量の範囲で供給されるので問題はないが、非常時に排水管より取水する場合はその底部に溜まった汚れた水が取水されてしまう場合が生ずる。
【０００８】
本考案は、係る問題を解決するためになされたものであり、非常時に水槽内の水を少量ずつ取水する場合においても、底部に溜まった水を除いて取水でき、かつ、通常の水槽内の清掃も可能な有効容量水位調整管付水槽を提供することを目的とする。
【課題を解決するための手段】
【０００９】
第１の観点では、本考案の有効容量水位調整管付水槽は、底部にある排水穴に一端が接続された排水管と、該排水管の他端に一端が接続された変換管と、前記排水管または前記変換管の少なくとも一方に設けられた少なくとも１つの排水弁と、前記排水管より小さな口径を有し前記変換管に接続可能な給水用配管と、該給水用配管に設けられた流水量を調整する調整弁とを有し、前記排水穴から放出される水を前記給水用配管を経由しないで放出する手段と、前記排水穴から放出される水を前記給水用配管を経由して放出する手段とを選択可能とした水槽において、前記排水穴または前記排水管にその下端の接続および取り外しが可能であって、前記排水穴または前記排水管に前記下端を取り付けたときにその上端が前記排水穴より１０〜１００ｃｍの間の所定の距離だけ上方に位置するように構成された筒状の水位調整管を設置したことを特徴とする。
【００１０】
本考案では、排水穴または排水管に上端が水槽の底部にある排水穴より１０〜１００ｃｍの間の所定の距離だけ上方に位置するように構成された筒状の水位調整管を設置することにより、その所定の距離だけ取水位置が排水穴より高くなり、非常時に水槽内の水を少量ずつ取水する場合においても、底部に溜まった水を除いて取水できる。さらに上記の水位調整管を排水穴または排水管に接続および取り外しが可能となるように構成することにより、通常の水槽内の清掃時に水槽の底部に溜まった水を排水することも可能となる。なお、受水槽の底部に溜まる可能性がある汚れた水の排水穴からの高さは最小で１０ｃｍ、最大でも１００ｃｍと推定される。
【００１１】
第２の観点では、本考案は、前記第１の観点の有効容量水位調整管付水槽において、前記水位調整管は円筒状であることを特徴とする。水位調整管は筒型の形状であればその外径は多角形状であっても目的は達成できるが、本観点の考案では、水位調整管を円筒状とすることにより、より簡易に、より低コストで本考案の目的が達成できる。
【００１２】
第３の観点では、本考案は前記第２の観点の有効容量水位調整管付水槽において、上部が前記水位調整管の下端に結合し下部が前記排水管に結合する構造を有する接続体を有し、前記水位調整管の下端と前記排水管とが該接続体を介して接続されることを特徴とする。本観点の考案では、円筒状の水位調整管を直接排水管に取り付けるのではなく、接続体を介して取り付ける構成である。この場合、接続体は上部には水位調整管を差し込みやねじ込みなどで固定する構造を有し、その下部には例えば排水管に差し込み固定、ねじ固定する構造、またはボルトなどで固定する手段などの排水管への取り付け構造を有している。このような接続体を介することにより水位調整管の排水管への取り付け、取り外しが容易となる。
【００１３】
第４の観点では、本考案は前記第３の観点の有効容量水位調整管付水槽において、前記接続体の上部および下部は円筒状であり、前記水位調整管の下端部分と前記接続体の上部の外周面または内周面にねじ形状を有することにより前記水位調整管の下端部分と前記接続体の上部とがねじ固定により結合され、前記接続体の下部の外径は前記排水管の内径より小さく、前記接続体の下部を前記排水管に挿入し、該接続体の筒板に垂直な方向にボルトを貫通して前記排水管の内壁に前記ボルトの先端を押し付けて固定することにより前記接続体の下部と前記排水管とを結合したことを特徴とする。
【００１４】
本観点の考案は、円筒状の水位調整管を円筒状の接続体を介して取り付ける構成であって、水位調整管の下端部分の外周面と接続体上部の内周面とに互いに勘合するねじ形状を形成して水位調整管を接続体上部の内側にねじ込んで固定する構造を有するか、または水位調整管の下端部分の内周面と接続体上部の外周面とに互いに勘合するねじ形状を形成して水位調整管を接続体上部の外側にねじ込んで固定する構造を有している。また、接続体の下部は排水管内に差し込み、接続体の筒板に垂直な方向に差し込んだボルトを排水管の内壁に押し付けて固定する。これにより、水位調整管の接続体への取り付けおよび接続体の排水管への取り付けがより強固に行え、かつ、取り外しも容易となる。
【００１５】
第５の観点では、本考案は前記第１乃至第４のいずれかの観点の有効容量水位調整管付水槽において、前記水位調整管は前記上端からの距離が異なる複数の調整穴と該複数の調整穴をそれぞれ塞ぐ手段とを有することを特徴とする。本観点の考案では、水位調整管の取水位置の調整を調整穴を選択することにより行うことが可能となる。すなわち、塞がれていない調整穴より高い位置の水が調整穴を通して水位調整管に流れ込むので、水位置調整管を交換することなく、所定の位置の調整穴を選択して開けることにより容易に取水位置を変えることができる。調整穴を塞ぐ手段としては、例えば、ゴム栓などの周囲を密閉可能な構造の栓やねじ込み式のボルトなどを用いることができる。
【００１６】
第６の観点では、本考案は前記第５の観点の有効容量水位調整管付水槽において、前記複数の調整穴は内周にねじ形状を設けた円形の穴であり、該穴の径に勘合するボルトを挿入することにより前記複数の調整穴を塞ぐことを特徴とする。本観点の考案のように調整穴にねじを切り、そこにボルトを挿入することにより、容易にかつ安価に調整穴を塞ぐ手段を実現できる。
【００１７】
第７の観点では、本考案は前記第１乃至第６のいずれかの観点の有効容量水位調整管付水槽において、前記水位調整管の上端の前記排水穴よりの所定の距離は３０〜６０ｃｍであることを特徴とする。受水槽の底部に溜まる可能性がある汚れた水の排水穴からの高さは３０〜６０ｃｍ以下の場合が多いと予想され、また容易に安定的にかつ安価に水位調整管を設置しやすい構造はその排水穴からの高さが３０〜６０ｃｍ程度以下の場合である。
【考案の効果】
【００１８】
以上のように、本考案によれば、非常時に水槽内の水を少量ずつ取水する場合においても、底部に溜まった水を除いて取水でき、かつ、通常の水槽内の清掃も可能な有効容量水位調整管付水槽が得られる。
【図面の簡単な説明】
【００１９】
【図１】実施例に係る有効容量水位調整管付水槽の基本的な構成を模式的に示す図であり、通常の場合の構成図。
【図２】実施例に係る有効容量水位調整管付水槽の基本的な構成を模式的に示す図であり、非常時に槽内から取水する場合の構成図。
【図３】水位調整管とその取付構造の拡大図であり、（ａ）は分解斜視図、（ｂ）は断面図。
【図４】水位調整管の変形例を示す斜視図。
【図５】従来の一般的な受水槽の基本的な構成を模式的に示す構成図。
【図６】非常時給水用配管付水槽の基本的な構成図。
【考案を実施するための形態】
【００２０】
以下、図面を参照して本考案の有効容量水位調整管付水槽を実施例により詳細に説明する。なお、図面の説明において同一の要素には同一符号を付し、その重複した説明を省略する。
【実施例】
【００２１】
図１、図２は、実施例１に係る有効容量水位調整管付水槽の基本的な構成を模式的に示す図であり、図１は通常の場合の構成図、図２は非常時に槽内から取水する場合の構成図である。本実施例の有効容量水位調整管付水槽１０は図６に示した従来の非常時給水用配管付水槽２０と同様に、底部１８にある排水穴１１に一端が接続された排水管１２と、排水管１２の他端に一端が接続された変換管１と、排水管１２に設けられた１つの排水弁１３と、排水管１１より小さな口径を有し変換管１に接続可能な給水用配管２と、給水用配管２に設けられた流水量を調整する調整弁３とを有し、変換管１に給水用配管２を取り付けまたは取り外しすることで、排水穴１１から放出される水を給水用配管２を経由しないで排水口１５に放出する手段と、排水穴１１から放出される水を給水用配管２を経由して取水する手段とを選択可能としている。さらに、本実施例の有効容量水位調整管付水槽１０では、排水管１２にその下端の接続および取り外しが可能であって、排水管１２にその下端を取り付けたときにその上端が排水穴１１より３０〜６０ｃｍ程度上方に位置するように構成された円筒状の水位調整管２１を設置している。
【００２２】
図３は、図１および図２における水位調整管とその取付構造の拡大図であり、図３（ａ）は分解斜視図、図３（ｂ）は断面図である。図３に示すように、本実施例では、上部が水位調整管２１の下端に結合し下部が排水管１２に結合する構造を有する接続体２２を有し、水位調整管２１の下端と排水管１２とが接続体２２を介して接続されている。具体的には、接続体２２の上部および下部は円筒状であり、水位調整管２１の下端部分の外周にねじ形状２１ａを有し、接続体２２の上部の内周面にねじ形状２２ａを有することにより水位調整管２１の下端部分と接続体２２の上部とがねじ固定により結合されている。接続体２２の下部の外径は排水管１２の内径より小さく、接続体２２の下部を排水管１２に挿入し、接続体２２の筒板に垂直な方向にボルト２２ｂを貫通して排水管１２の内壁にボルト２２ｂの先端を押し付けて固定することにより接続体２２の下部と排水管１２とを結合している。また、接続体２２と排水穴１１および排水管１２の間にはゴム製のパッキン１９を挿入して、非常時に槽内から取水する場合に底部に溜まった水が流入するのを防止している。
【００２３】
図１、図２において、変換管１は、上端部が排水管１２に接続され、下端部１ｂには給水用配管２の上端部２ａの接続および取り外しが可能なように構成されている。変換管１の口径は短時間の排水が可能となるように排水管１２の口径と同一かまたは同程度が望ましい。変換管１の上端部構造および形状は、排水管１２の接続部の材質や形状に応じて選択される。例えば、排水管１２の接続部にねじが切ってあればそれに合うねじを設けてもよく、排水管１２の接続部が樹脂であって接着固定による接続が望ましければ、その接続法に最適な構造であってもよい。給水用配管２の上端部２ａは、その口径は変換管１の下端部１ｂと同じである。給水用配管２は通常の家庭用の水道と同程度の口径を有する小配管を有し、調整弁３としては、例えば家庭用の水道栓が使用できる。また、給水用配管２の蛇口は図１のように９０度に曲がった蛇口であってもよく、ストレートの蛇口であってもよい。この場合、給水用配管２の実現方法として、例えば、片端が変換管１の下端部１ｂの口径にねじで嵌め合い、他端が一般的な家庭用水道栓にねじで嵌め合うような変換アダプタと、水道栓とを組み合わせて構成してもよい。
【００２４】
本実施例では、槽内の点検や清掃の場合、先ず図３に示した水位調整管２１を取り外し、ボルト２２ｂを緩めて接続体２２を排水管１２より取り外す。図１に示すように、通常は給水用配管２を変換管１に接続していないので、この後、排水弁１３を開くことにより排水穴１１から放出される水を変換管１を通してそのまま排水口１５に放出する。一方、非常時に槽内から取水する場合、給水用配管２の上端部２ａを変換管１の下端部１ｂに接続して排水弁１３を開くことにより、図２に示すように、排水穴１１から放出される水を給水用配管２の蛇口を経由して取水する。この場合、本実施例では水位調整管２１があることにより、その高さだけ取水位置が排水穴より高くなり、非常時に水槽内の水を少量ずつ取水する場合においても、底部に溜まった水を除いて取水できる。
【００２５】
なお、図１に示す排水口１５とそれに接続された管は通常、容易に取り外しが可能であるので、図２に示すようにそれらをはずして給水用配管２を変換管１に取り付けることが可能である。なお、給水用配管２と変換管１の形状を小型化すれば、排水口１５をそのままにして給水用配管２を変換管１に取り付けることも可能である。
【００２６】
図４は本考案の有効容量水位調整管付水槽に使用する水位調整管の変形例を示す斜視図である。図４において、この水位調整管２３は上端からの距離が異なる３個の調整穴２４とそれらの３個の調整穴２４をそれぞれ塞ぐ手段として３個のボルト状の栓２５を有している。この水位調整管２３は図３の水位調整管２１と同様に接続体２２に接続され、接続体２２を介して排水管１２に接続される。例えば、水位調整管２３の排水穴１１からの高さＨを６０ｃｍとし、調整穴２４の水位調整管２３の上端からの距離をそれぞれ１０ｃｍ、２０ｃｍ、３０ｃｍとすると、３個の栓２５をすべて塞いだ場合、下の２個を塞いだ場合、下の１個を塞いだ場合、すべて塞がない場合の取水位置は、それぞれ排水穴１１から、６０ｃｍ、５０ｃｍ、４０ｃｍ、３０ｃｍとなり、栓２５の開閉により容易に取水位置を変えることができる。
【００２７】
また、本考案の有効容量水位調整管付水槽において、その排水管などの配置構成は図１の構成だけでなく、様々な変形が可能である。例えば、排水管を受水槽の側面まで水平方向に引き出し、その引き出された部分に排水弁を設置し、その先の排水管の先端を水平方向から下方に９０度曲げた配管を接続し、下方に排水するように構成してもよい。この場合、その９０度曲げられた配管の代わりに同様の形状の変換管を排水管の先端に接続し、非常時に槽内から取水する場合には、変換管の他端に調整弁を設けた給水用配管を接続すればよい。
【００２８】
また、受水槽内に基準の満水レベル以上の水が注水されたときに余剰の水を排水するための配管を排水管の先端に合流させて排水口に放出する構成としてもよい。この場合の排水弁は、合流する前の排水管の途中に設置される。
【００２９】
上記の実施例は、水槽として受水槽に本考案を適用する場合について説明したが、同様の排水構造を有する高架水槽においても本考案の適用が可能である。
【００３０】
以上のように、本考案の有効容量水位調整管付水槽では、非常時には槽内の水を少量ずつ取水でき、かつ、底部に溜まった水を除いて取水できる。さらに、水位調整管の取り外しが可能であるので、排水管により排水して水槽内の清掃を行うことも可能である。
【００３１】
従来の受水槽または高架水槽に対して変換管と給水用配管および水位調整管などを付加することにより容易に本考案の有効容量水位調整管付水槽を構成することができる。また、通常時の点検などにおける排水も従来と同様に行うことができる。
【００３２】
なお、本考案は上記の実施例に限定されるものではないことは言うまでもなく、目的や用途に応じて設計変更可能である。例えば、本考案を適用する受水槽または高架水槽は実施例以外の構造であってもよい。排水管、排水弁、変換管、給水用配管、水位調整管、接続体などの構造や材料も互いに接続される管の形状や材料および目的に合わせて選択可能である。
【符号の説明】
【００３３】
１      変換管
１ｂ    下端部
２      給水用配管
２ａ    上端部
３      調整弁
９      排水弁
１０    有効容量水位調整管付水槽
１１    排水穴
１２    排水管
１５    排水口
１７    給水管
１８    底部
１９    パッキン
２０    非常時給水用配管付水槽
２１、２３        水位調整管
２１ａ、２２ａ    ねじ形状
２２    接続体
２４    調整穴
２５    栓
３０    受水槽
【図１】
0003202968.tif 000003
【図２】
0003202968.tif 000004
【図３】
0003202968.tif 000005
【図４】
0003202968.tif 000006
【図５】
0003202968.tif 000007
【図６】
0003202968.tif 000008